(57)【要約】【課題】断路位置、試験位置、接続位置での位置合わせを容易に行うことのできるインターロック装置を提供する。【解決手段】引出形の受配電機器２と、受配電機器２を載置した移動自在の台車４と、台車４に固定されたねじ受け台５と、ねじ受け台５に螺合するとともに、受配電機器２を移動させる出入ねじ棒６と、出入ねじ棒６に設けられた断路位置穴２０ａ、試験位置穴２０ｂ、接続位置穴２０ｃと、受配電機器２に設けられるとともに、断路位置穴２０ａ、試験位置穴２０ｂ、接続位置穴２０ｃに先端が嵌め込まれるインターロックピン１０とを備えたことを特徴とする。【選択図】  図１
2014155323.tif 000002
【特許請求の範囲】
【請求項１】
受配電機器と、
前記受配電機器を載置した移動自在の台車と、
前記台車に固定されたねじ受け台と、
前記ねじ受け台に螺合するとともに、前記受配電機器を移動させる出入ねじ棒と、
前記出入ねじ棒に設けられた断路位置穴、試験位置穴、接続位置穴と、
前記受配電機器に設けられるとともに、前記断路位置穴、前記試験位置穴、前記接続位置穴に先端が嵌め込まれるインターロックピンと、
を備えたことを特徴とする引出形受配電機器のインターロック装置。
【請求項２】
前記インターロックピンに加圧ばねを設け、このインターロックピンの先端を前記出入ねじ棒に当接させることを特徴とする請求項１に記載の引出形受配電機器のインターロック装置。
【請求項３】
前記インターロックピンの直径を前記出入ねじ棒のねじピッチよりも大きくしたことを特徴とする請求項１または請求項２に記載の引出形受配電機器のインターロック装置。
【請求項４】
前記インターロックピンに前記受配電機器の開閉操作を制御するリンクを設けたことを特徴とする請求項１乃至請求項３のいずれか１項に記載の引出形受配電機器のインターロック装置。
【請求項５】
前記受配電機器は、真空遮断器であることを特徴とする請求項１乃至請求項４のいずれか１項に記載の引出形受配電機器のインターロック装置。
【発明の詳細な説明】
【技術分野】
【０００１】
本発明の実施形態は、真空遮断器、気中開閉器など引出形の受配電機器を箱体に出し入れするとき、所定の位置において、一旦、移動を不可とする引出形受配電機器のインターロック装置に関する。
【背景技術】
【０００２】
従来、引出形の受配電機器をスイッチギヤの箱体に出し入れするときには、主回路と断路する断路位置や主回路と接続する接続位置などで、一旦、移動を不可とするインターロック装置が設けられている（例えば、特許文献１参照。）。受配電機器の移動には、受配電機器本体に設けられたねじ受け台と、これに螺合する出入ねじ棒が用いられている（例えば、特許文献２参照。）。
【０００３】
この種のインターロック装置を図５に示すが、スイッチギヤ箱体の床板１上には、真空遮断器２が移動自在に設置されている。真空遮断器２は、車輪３を有する台車４に載置、固定されている。なお、図示左側の車輪３は、各部材が重なり合うため、二点鎖線で示している。台車４の正面側の側面には、ねじ受け台５が固定され、台形状のねじを設けた出入ねじ棒６が螺合されている。出入ねじ棒６は、台車４と離合する補強部材７を貫通し、端部６ａが断面コ字状の保護カバー８で覆われている。端部６ａには、図示しないハンドルを嵌め込み、出入ねじ棒６を回転させられるようになっている。
【０００４】
真空遮断器２の正面側には、支持板９で上下方向に移動自在に支持されたインターロックピン１０が設けられている。床板１には、断面コ字状のインターロック板１１が固定されており、インターロックピン１０の先端が嵌め込まれる断路位置穴１１ａ、試験位置穴１１ｂ、接続位置穴１１ｃが設けられている。なお、正面側には、箱体に固定された正面扉１２が設けられ、正面扉１２を閉じた状態で開口部１２ａから前記ハンドルが嵌め込まれるようになっている。
【０００５】
これにより、出入ねじ棒６を回転操作することで真空遮断器２を所定の位置に移動させることができる。しかしながら、真空遮断器２が床板１上を必ずしも直線的に移動せず、それぞれの穴１１ａ、１１ｂ、１１ｃにインターロックピン１０を嵌め込むことが困難となることがある。即ち、真空遮断器２の移動には操作性の観点から遊びがあり、所定の位置において、本体を前後左右方向に微調整しながらインターロックピン１０をそれぞれの穴１１ａ、１１ｂ、１１ｃに嵌め込むことがあった。このため、位置合わせが容易にでき、作業性を向上させられるものが望まれていた。
【先行技術文献】
【特許文献】
【０００６】
【特許文献１】特開２００８−１１３５２５号公報
【特許文献２】特開２０１２−１３０１９９号公報
【発明の概要】
【発明が解決しようとする課題】
【０００７】
本発明が解決しようとする課題は、断路位置、試験位置、接続位置での位置合わせを容易に行うことのできる引出形受配電機器のインターロック装置を提供することにある。
【課題を解決するための手段】
【０００８】
上記課題を解決するために、実施形態の引出形受配電機器のインターロック装置は、受配電機器と、前記受配電機器を載置した移動自在の台車と、前記台車に固定されたねじ受け台と、前記ねじ受け台に螺合するとともに、前記受配電機器を移動させる出入ねじ棒と、前記出入ねじ棒に設けられた断路位置穴、試験位置穴、接続位置穴と、前記受配電機器に設けられるとともに、前記断路位置穴、前記試験位置穴、前記接続位置穴に先端が嵌め込まれるインターロックピンと、を備えたことを特徴とする。
【図面の簡単な説明】
【０００９】
【図１】本発明の実施例１に係る引出形受配電機器のインターロック装置の構成を示す要部拡大側面図。
【図２】本発明の実施例１に係る真空遮断器の台車の構成を示す上面図。
【図３】本発明の実施例１に係る引出形受配電機器のインターロック装置の操作を説明する図。
【図４】本発明の実施例２に係る引出形受配電機器のインターロック装置の構成を示す要部拡大側面図。
【図５】従来の引出形受配電機器のインターロック装置の構成を示す要部拡大側面図。
【発明を実施するための形態】
【００１０】
以下、図面を参照して本発明の実施例を説明する。
【実施例１】
【００１１】
先ず、本発明の実施例１に係る引出形受配電機器のインターロック装置を図１〜図３を参照して説明する。図１は、本発明の実施例１に係る引出形受配電機器のインターロック装置の構成を示す要部拡大側面図、図２は、本発明の実施例１に係る真空遮断器の台車の構成を示す上面図、図３は、本発明の実施例１に係る引出形受配電機器のインターロック装置の操作を説明する図である。なお、従来と同様の構成部分は、同一符号を付した。また、引出形受配電機器を真空遮断器を用いて説明する。
【００１２】
図１に示すように、スイッチギヤ箱体の床板１上には、真空遮断器２が移動自在に設置されている。真空遮断器２は、車輪３を有する台車４に載置、固定されている。なお、図示左側の車輪３は、各部材が重なり合うため、二点鎖線で示している。台車４の正面側の側面には、ねじ受け台５が固定され、台形状のねじを設けた回転自在の出入ねじ棒６が螺合されている。出入ねじ棒６は、台車４と離合する補強部材７を貫通し、端部６ａが断面コ字状の保護カバー８で覆われている。端部６ａには、図示しないハンドルを嵌め込み、出入ねじ棒６を回転させられるようになっている。真空遮断器２の正面側には、支持板９で上下方向に移動自在に支持されたインターロックピン１０が設けられている。インターロックピン１０は、出入ねじ棒６の軸方向と直交する方向に配置される。
【００１３】
出入ねじ棒６には、図２に示すように、インターロックピン１０の先端が嵌め込まれる断路位置穴２０ａ、試験位置穴２０ｂ、接続位置穴２０ｃが設けられている。それぞれの穴２０ａ、２０ｂ、２０ｃの内径は、インターロックピン１０の外径よりも僅かに大きい。穴２０ａ、２０ｂ、２０ｃの深さは、ねじの谷よりも深い。断路位置穴２０ａは真空遮断器２が主回路と断路する位置、試験位置穴２０ｂは真空遮断器２の動作などを試験する位置、接続位置穴２０ｃは主回路と接続する位置となる。インターロックピン１０には、このピン１０を出入ねじ棒６側に押付けるよう付勢した加圧ばね２１が設けられている。また、インターロックピン１０を持ち上げる復帰レバー２２が設けられている。
【００１４】
箱体の正面側には、箱体に固定された正面扉１２が設けられ、正面扉１２を閉じた状態で開口部１２ａから前記ハンドルが嵌め込まれるようになっている。
【００１５】
次に、操作について図３を用いて説明する。図３（ａ）に示すように、復帰レバー２２を操作してインターロックピン１０を持ち上げ、断路位置穴２０ａから外し、出入ねじ棒６を回転させる。すると、台車４を図３（ｂ）に示すように、図示右方向の試験位置に移動させることができる。移動中においては、復帰レバー２２を解除し、加圧ばね２１のばね力でインターロックピン１０の先端を出入ねじ棒６に当接させておく。試験位置に達すると、ばね力により、インターロックピン１０の先端が試験位置穴２０ｂに嵌め込まれる。
【００１６】
更に移動させる場合には、復帰レバー２２を操作し、インターロックピン１０を試験位置穴２０ｂから外し、出入ねじ棒６を回転させる。すると、台車４を図３（ｃ）に示すように、図示右方向の接続位置に移動させることができる。移動中においては、復帰レバー２２を解除し、加圧ばね２１のばね力でインターロックピン１０の先端を出入ねじ棒６に当接させておく。接続位置に達すると、ばね力により、インターロックピン１０の先端が接続位置穴２０ｃに嵌め込まれる。
【００１７】
これにより、インターロックピン１０を容易に断路位置穴２０ａ、試験位置穴２０ｂ、接続位置穴２０ｃに嵌め込むことができる。インターロックピン１０と出入ねじ棒６は、同一の台車４に設置されており、従来のような移動に伴う遊びの影響を受けることがなく、各部の動きを精度のよいものにすることができる。また、加圧ばね２１のばね力によって、インターロックピン１０の先端が出入ねじ棒６のねじ上を移動するので、確実に嵌め込むことができる。自由落下よりも確実であり、位置合わせが容易となる。
【００１８】
なお、出入ねじ棒６のねじピッチよりもインターロックピン１０の直径を大きく（約２倍）し、ねじ溝に落ちないようにしている。それぞれの穴２０ａ、２０ｂ、２０ｃ深さは、ねじの谷よりも深いので、確実に嵌め込まれる。また、ばね力は、出入ねじ棒６の回転を阻害しない程度とし、潤滑油塗布などにより摩擦抵抗の低減を図っている。出入ねじ棒６やインターロックピン１０先端は、耐摩耗金属が好ましい。
【００１９】
上記実施例１の引出形受配電機器のインターロック装置によれば、出入ねじ棒６に断路位置穴２０ａ、試験位置穴２０ｂ、接続位置穴２０ｃを設け、それぞれの位置でインターロックピン１０の先端を嵌め込むようにしているので、それぞれの位置での位置合わせを容易とすることができる。
【実施例２】
【００２０】
次に、本発明の実施例２に係る引出形受配電機器のインターロック装置を図４を参照して説明する。図４は、本発明の実施例２に係る引出形受配電機器のインターロック装置の構成を示す要部拡大側面図である。なお、この実施例２が実施例１と異なる点は、開閉操作を制御するインターロック機構を設けたことである。図４において、実施例１と同様の構成部分においては、同一符号を付し、その詳細な説明を省略する。
【００２１】
図４に示すように、インターロックピン１０には、第１のリンク２３と第２のリンク２４を連結している。第１のリンク２３では、インターロックピン１０がそれぞれの穴２０ａ、２０ｂ、２０ｃに嵌め込まれているときに、真空遮断器２の開閉操作が行えるようにしている。移動中では、例えば、図示しない投入パドルを第１のリンク２３で覆って開閉操作を不可とする。第２のリンク２４では、真空遮断器２の閉路時に、インターロックピン１０を持ち上げることを不可とし、移動できないようにするものである。
【００２２】
上記実施例２の引出形受配電機器のインターロック装置によれば、実施例１による効果のほかに、真空遮断器２の開閉操作のインターロックを取ることができる。
【００２３】
以上述べたような実施形態によれば、断路位置穴、試験位置穴、接続位置穴を設けた出入ねじ棒と、この穴に嵌め込まれるインターロックピンを同一の台車に設けているので、精度よく組立てをすることができ、それぞれの位置決めを容易に行うことができる。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１  床板
２  真空遮断器
４  台車
５  ねじ受け台
６  出入ねじ棒
１０  インターロックピン
１１ａ、２０ａ  断路位置穴
１１ｂ、２０ｂ  試験位置穴
１１ｃ、２０ｃ  接続位置穴
２１  加圧ばね
【図１】
2014155323.tif 000003
【図２】
2014155323.tif 000004
【図３】
2014155323.tif 000005
【図４】
2014155323.tif 000006
【図５】
2014155323.tif 000007